(57)【要約】【課題】濾過材の接着安定性を確保しつつ、良好な通水性を確保することができるリントフィルタおよびその製造方法を提供する。【解決手段】リントフィルタ１０は、濾過材１１の繊維１１ａに接着材１２を付着させ、接着側に剥離紙１３を貼り付けたものである。このリントフィルタ１０は、濾過材１１に接着材１２を噴霧することによる製造することができる。このようなリントフィルタ１０は、濾過材１１に付着した接着材１２が、排水フィルタに貼り付いて、濾過材１１が固定できるので、通水を邪魔するものが無い。従って、濾過材１１の接着安定性を確保しつつ、良好な通水性を確保することができる。【選択図】図１
2018079242.tif 000002
【特許請求の範囲】
【請求項１】
濾過材に接着材が付着したドラム式洗濯機用リントフィルタ。
【請求項２】
前記濾過材は、不織布により形成され、
前記接着材は、前記不織布の繊維に付着させた請求項１記載のドラム式洗濯機用リントフィルタ。
【請求項３】
前記濾過材に、前記接着材を付着させた領域と、前記接着材を付着させていない領域とを備えた請求項１または２記載のドラム式洗濯機用リントフィルタ。
【請求項４】
前記接着材は、前記濾過材の最表面側に位置する繊維より奥側に位置する繊維にも付着した請求項１から３のいずれかの項に記載のドラム式洗濯機用リントフィルタ。
【請求項５】
前記濾過材は、複数種類の太さの繊維により形成された請求項１から４のいずれかの項に記載のドラム式洗濯機用リントフィルタ。
【請求項６】
濾過材に接着材を噴霧するドラム式洗濯機用リントフィルタの製造方法。
【発明の詳細な説明】
【技術分野】
【０００１】
本発明は、洗濯槽で洗濯される衣類からの繊維ごみを捕獲するドラム式洗濯機用リントフィルタおよびその製造方法に関するものである。
【背景技術】
【０００２】
ドラム式洗濯機には、水槽の排水口に接続された排水管に、繊維ごみを捕獲するフィルタケースが配置されている。フィルタケースに設けられたドラム式洗濯機用リントフィルタとして、特許文献１に記載されたものが知られている。
【０００３】
特許文献１に記載の「ドラム式洗濯機用使い捨てフィルタ」では、矩形状の箱型部材に不織布からなる濾過材が載置されたものである。
しかし、矩形状の箱型部材に濾過材を載置しただけでは、箱型部材から濾過材が浮き上がり、濾過材と箱型部材との隙間から繊維ごみが入り込み、濾過材にでは無く、箱型部材に繊維ごみが捕獲されてしまう。従って、濾過材の装着安定性を向上させ、濾過材に繊維ごみを確実に捕獲させるために、一般的には、濾過材に両面テープや、面ファスナーなどの取付部材を貼り付けて、箱型部材の各所に接着させている。
【先行技術文献】
【特許文献】
【０００４】
【特許文献１】特許第５８３５７８６号公報
【発明の概要】
【発明が解決しようとする課題】
【０００５】
しかし、特許文献１においては、濾過材の装着安定性を向上させる余りに、濾過材に多数の両面テープや、面ファスナーを貼り付けてしまうと、両面テープが貼られた部分は、通水を阻害してしまう。
【０００６】
そこで本発明は、濾過材の接着安定性を確保しつつ、良好な通水性を確保することができるリントフィルタおよびその製造方法を提供することを目的とする。
【課題を解決するための手段】
【０００７】
本発明のドラム式洗濯機用リントフィルタは、濾過材に接着材が付着したことを特徴とする。
本発明のドラム式洗濯機用リントフィルタによれば、濾過材に付着した接着材が、設置場所に貼り付いて、濾過材が固定できるので、通水を邪魔するものが無い。
【０００８】
前記濾過材は、不織布により形成され、前記接着材は、前記不織布の繊維に付着させたものとすることができる。不織布により形成された濾過材の繊維に、接着材が付着していることで、不織布を設置場所に固定させ、通水性を確保しつつ、確実に繊維ごみを確保することができる。
【０００９】
前記濾過材に、前記接着材を付着させた領域と、前記接着材を付着させていない領域とを備えることができる。接着材を付着させた領域では、設置場所に貼り付けることができ、接着材自体に繊維ごみを捕獲させることができる。接着材を付着させていない領域では、濾過材の繊維から突出した枝のような細かな繊維が、接着材によって取り込まれないため、この細かな繊維に繊維ごみを、絡ませ、捕獲することができる。
【００１０】
前記接着材は、前記濾過材の最表面側に位置する繊維より奥側に位置する繊維にも付着したものとすることができる。本発明のドラム式洗濯機用リントフィルタを貼り付けるときに、最表面側の繊維が貼り付くが、濾過材を強く押し付けることで、濾過材が圧縮され、奥側に位置する繊維も設置場所に接触することで接着するため、接着力を向上させることができる。
【００１１】
前記濾過材を、複数種類の太さの繊維により形成することができる。太い繊維はしっかりとした形状を象る基材となり、接着面を細い繊維より広く確保することができる。細い繊維は、太い繊維同士の絡み合いによるむらの隙間を埋めることができる。
【００１２】
本発明のドラム式洗濯機用リントフィルタの製造方法は、濾過材に接着材を噴霧することを特徴とする。
本発明のドラム式洗濯機用リントフィルタの製造方法によれば、接着材を濾過材に広範囲に均一に塗布することができ、最表面だけでなく、奥側に位置する繊維にも、接着材を付着させることができる。
【発明の効果】
【００１３】
本発明のドラム式洗濯機用リントフィルタによれば、濾過材に付着した接着材が、設置場所に貼り付いて、濾過材が固定できるので、通水を邪魔するものが無いため、濾過材の接着安定性を確保しつつ、良好な通水性を確保することができる。
【図面の簡単な説明】
【００１４】
【図１】本発明の実施の形態に係るドラム式洗濯機用リントフィルタを示す図であり、（Ａ）は平面図、（Ｂ）は正面図、（Ｃ）は図面代用写真である。
【図２】図１に示すドラム式洗濯機用リントフィルタにおける濾過材の一部拡大図である。
【図３】図１に示すドラム式洗濯機用リントフィルタの製造方法を説明するための図であり、（Ａ）は接着材を濾過材に噴霧することを説明するための図、（Ｂ）は剥離紙を貼り付けることを説明するための図、（Ｃ）は個片化することを説明するための図である。
【図４】図１に示すドラム式洗濯機用リントフィルタが装着される排水フィルタの一例を示す斜視図である。
【発明を実施するための形態】
【００１５】
本発明の実施の形態に係るドラム式洗濯機用リントフィルタを図面に基づいて説明する。なお、以下、本実施の形態では、「ドラム式洗濯機用リントフィルタ」を、単に「リントフィルタ」と略す。
図１（Ａ）から同図（Ｃ）に示すリントフィルタ１０は、図４に示す排水フィルタ２０に装着されるものである。
【００１６】
排水フィルタ２０は、水槽の排水口からの排水管が接続されたフィルタケースに配置され、繊維ごみを捕獲するものである。排水フィルタ２０は、排水の浸入側が開口した格子状の網目を有する細長の箱状部２１と、排水フィルタ２０を挿入する挿入口にねじ止めされる蓋部２２とを備えている。蓋部２２の外周面にはねじ山２２ａが形成され、摘んで排水フィルタ２０を回転させるためのハンドル部２２ｂが、排水フィルタ２０の長手方向に沿って突出している。
リントフィルタ１０は、箱状部２１の凹部２１ａを設置場所として配置される。
【００１７】
図１および図２に示すリントフィルタ１０は、矩形状の不織布により形成された濾過材１１と、濾過材１１の繊維１１ａに付着させた接着材１２と、リントフィルタ１０の接着側Ｓに貼り付けられた剥離紙１３とにより構成されている。
濾過材１１は、例えば、ビニロン繊維、ポリエステル繊維、ポリエチレン繊維、ポリプロピレン繊維などの化学繊維が使用できる。濾過材１１は、例えば、１デニールから８０デニールまでのものから、少なくとも２種類の太さの繊維を選択し、混在させて形成することができる。
また、濾過材１１は、目付が３０〜１００ｇ／ｍ2程度、好ましくは、４５ｇ／ｍ2程度、厚さが２〜５ｍｍ程度、好ましくは、３ｍｍ程度の不織布シートを好適に用いることができる。
【００１８】
濾過材１１は、各種の不織布製フィルタ材料を選択することができる。例えば、不織布製フィルタ材料として、合成樹脂製のネット（網）状のフィルタや、微細な孔や切込みを有することにより通水性を備えた不織布製フィルタ、合成樹脂製フィルタ、紙製フィルタなどの材料を用いることができる。
【００１９】
接着材１２は、耐水性の高いものが好適である。例えば、接着材１２は、アクリル系やゴム系などの接着材が使用できる。
接着材１２は、濾過材１１の接着側Ｓ（箱状部２１の凹部２１ａ側）の全体に付着している。接着材１２は、最表面側に位置する繊維より奥側に位置する繊維にも付着している。
【００２０】
以上のように構成された本発明の実施の形態に係るリントフィルタ１０の製造方法を図面に基づいて説明する。
まず、図３（Ａ）に示すように、大判の濾過材３１に、スプレーの噴射口３３を向け、接着材１２を満遍に噴霧する。スプレーの噴射口３３に向けた大判の濾過材３１の一方の面が、接着側Ｓとなる。
次に、図３（Ｂ）に示すように、大判の濾過材３１の噴霧側（接着側Ｓ）に、大判の濾過材３１より大き目の剥離紙３２を貼り付ける。そして、図３（Ｃ）に示すように、排水フィルタ２０（図４参照）の凹部２１ａの内壁面を覆うようなサイズに縦と横とを切断することで、大判の濾過材３１から濾過材１１を多数個取りすることができる。
【００２１】
このようにリントフィルタ１０を製造することにより、図２に示すように、接着材１２を広範囲に濾過材１１に均一に塗布することができ、最表面全体だけでなく、奥側に位置する繊維１１ａにも、接着材を付着させることができる。
なお、本実施の形態では、大判の濾過材３１に接着材１２を噴霧しているが、個々の濾過材１１に噴霧するようにしてもよい。また、接着材１２の付着は、転写、プリント、含浸などによってもよい。
【００２２】
図４に示すように、リントフィルタ１０を箱状部２１の凹部２１ａに配置し、リントフィルタ１０を押し付けることで、濾過材１１の繊維１１ａに付着した接着材１２が、箱状部２１の側壁面２１ｂや底面２１ｃに押し当てられて接着する。そうすることで、両面テープや面ファスナーなど、取付部材を貼り付けることなく、リントフィルタ１０を排水フィルタ２０に固定することができる。従って、箱状部２１の格子状の網目を塞ぐことなく、リントフィルタ１０を固定することができるため、リントフィルタ１０は、濾過材１１の接着安定性を確保しつつ、良好な通水性を確保することができる。
【００２３】
濾過材１１の角部１１ｂにも、接着材１２が付着しているため、剥がれやすい濾過材１１の角部が排水フィルタ２０から捲れてしまうことを防止することができる。従って、リントフィルタ１０を排水フィルタ２０に隙間なく貼り付けることができる。また、本実施の形態では、濾過材１１の接着側Ｓ全体に接着材１２が付着しているため、箱状部２１の凹部２１ａ全体に貼り付ける固定することができるため、リントフィルタ１０の角部だけでなく全体が強固に接着固定する。
【００２４】
更に、接着材１２は、図２に示すように、濾過材１１の最表面側に位置する繊維１１ａより奥側に位置する繊維１１ａにも付着しているため、リントフィルタ１０を排水フィルタ２０に貼り付けるときに、濾過材１１を強く押し付けることで、濾過材１１が圧縮され、最表面側の繊維１１ａだけでなく、奥側に位置する繊維１１ａも排水フィルタ２０に接触することで接着する。そのため、リントフィルタ１０の接着力を向上させることができる。
【００２５】
濾過材１１が、複数種類の太さの繊維により形成されているため、太い繊維１１ａは、しっかりと形状を保持する基材となり、細い繊維より接着面を広く確保することができるため、細い繊維だけで形成したとき比較して接着力を向上させることができる。細い繊維１１ａは、太い繊維１１ａ同士の絡み合いによるむらの隙間を埋めることができる。
【００２６】
本実施の形態に係るリントフィルタ１０は濾過材１１が四角形状に形成されているが、三角形状でも、五角形状でも、それ以上の多角形状としたり、異形状としたりすることができる。
【００２７】
リントフィルタ１０に繊維ごみが溜まれば、排水フィルタ２０を図示しない洗濯機から取り出し、リントフィルタ１０を排水フィルタ２０から剥がして捨てれば、排水フィルタ２０には繊維ごみが付着していない。排水フィルタ２０には、リントフィルタを固定するための両面テープや面ファスナーなどを使用していないため、リントフィルタを剥がした際に残る両面テープや面ファスナーなどを除去する必要もない。従って、排水フィルタ２０の清掃が簡単である。
【００２８】
なお、本実施の形態では、接着材１２が、濾過材１１の接着側Ｓの全体に付着していたが、接着材１２を付着させた領域と、接着材１２を付着させていない領域とを備えさせることができる。
例えば、濾過材１１に接着材１２を格子状に付着させたり、付着する領域を点在させたり、付着させる領域と付着させない領域とを、それぞれ帯状に形成して、長手方向に沿って交互に配置したりすることができる。
【００２９】
このように、リントフィルタが、接着材１２を付着させた領域と、接着材１２を付着させていない領域とを備えさせることにより、接着材を付着させた領域では、設置場所に貼り付けることができ、接着材自体に繊維ごみを捕獲させることができる。また、接着材を付着させていない領域では、濾過材の繊維から突出した枝のような細かな繊維が、接着材によって取り込まれないため、この細かな繊維に繊維ごみを、絡ませ、捕獲することができる。
【産業上の利用可能性】
【００３０】
本発明のドラム式洗濯機用リントフィルタは、洗濯機における洗濯水の排水経路、循環経路などへ配置することにより、設置場所から剥がれることなく、繊維ごみを捕獲することができる。
【符号の説明】
【００３１】
１０  リントフィルタ
１１  濾過材
１１ａ  繊維
１１ｂ  角部
１２  接着材
１３  剥離紙
２０  排水フィルタ
２１  箱状部
２１ａ  凹部
２１ｂ  側壁面
２１ｃ  底面
２２  蓋部
２２ａ  ねじ山
２２ｂ  ハンドル部
３１  大判の濾過材
３２  剥離紙
３３  スプレーの噴射口
Ｓ  接着側
【図１】
2018079242.tif 000003
【図２】
2018079242.tif 000004
【図３】
2018079242.tif 000005
【図４】
2018079242.tif 000006